(57)【特許請求の範囲】
【請求項１】
壁面に固定される取付部材に対して、機器の遠隔操作が可能なリモコン装置を取り付けるリモコン装置の取付構造であって、
前記リモコン装置は、操作部を有するケース部と、当該ケース部を重ね合わせて筐体を構成する本体部と、取付部材とケース部と本体部とを連結する連結部材とを備え、
前記本体部は、背面壁とその周囲を囲む側面壁とにより構成された枠体であり、
前記取付部材は、連結部材が挿入される開口部が形成された開口連結部を有し、
ケース部と本体部とを重ね合わせた筐体は、前記開口連結部の開口部と連通する連通開口部を側面壁に有し、内部に基板を収納するものであって、
前記連結部材が、連通状態の開口連結部の開口部と連通開口部に挿着されると、ケース部及び本体部が取付部材側に引きつけられて、リモコン装置と取付部材とが一体的に連結され、
前記連結部材が連通状態の開口連結部の開口部と連通開口部に挿着されると、連結部材は、少なくとも挿通方向先端側で本体部と当接し、中間部で取付部材に当接し、後端側でケース部に当接すると共に、挿通方向先端側及び後端側に作用する外力と、中間部に作用する外力が、対向する方向に作用していることを特徴とするリモコン装置の取付構造。
【請求項２】
前記本体部は、押圧部を備え、
前記連結部材は、開口連結部と連通状態の連通開口部に装着された状態において、挿通方向先端側が押圧部により一定方向に押圧されることを特徴とする請求項１に記載のリモコン装置の取付構造。
【請求項３】
前記連結部材は、挿通方向先端側から中間部に掛けて拡幅するテーパ部を有し、
前記テーパ部には、装着状態における開口連結部の開口部縁端に係止する係止部が形成されていることを特徴とする請求項１又は２に記載のリモコン装置の取付構造。
【請求項４】
前記取付部材の開口連結部には、連結部材を連通状態の開口連結部の開口部と連通開口部に挿着する際に、連結部材のテーパ部が摺動する開口縁傾斜部が形成されていることを特徴とする請求項３に記載のリモコン装置の取付構造。
【請求項５】
前記連結部材と、本体部、ケース部又は取付部材のいずれかとの当接部には、連結部材が連通状態の開口連結部の開口部と連通開口部に挿着された際の装着感を生じさせる装着嵌合部が設けられていることを特徴とする請求項１乃至４のいずれかに記載のリモコン装置の取付構造。
【請求項６】
連通状態の開口連結部の開口部と連通開口部に装着された状態における連結部材の露出側に、当該連結部材の取り外しを可能とするこじり用係合部を設けたことを特徴とする請求項１乃至５のいずれかに記載のリモコン装置の取付構造。
【請求項７】
前記連結部材は、装着状態において、連通開口部に対して平行に延伸した突出部を有し、
前記リモコン装置のケース部には、ケース部本体に対して開閉可能な蓋部が備えられ、
前記ケース部本体と蓋部は、前記筐体の連通開口部側にヒンジ構造で接続されており、
前記蓋部は、連通開口部側に回転すると開状態になると共に、連結部材の前記突出部を連通開口部に対する連結部材の挿入方向に押圧可能とすることを特徴とする請求項１乃至６のいずれかに記載のリモコン装置の取付構造。
【請求項８】
前記連結部材は、落下防止部材が設けられ、
前記連結部材の装着状態が解放された場合であっても、前記落下防止部材の一部が前記筐体の内部に係止することを特徴とする請求項１乃至７のいずれかに記載のリモコン装置の取付構造。
【発明の詳細な説明】
【技術分野】
【０００１】
本発明は、リモコン装置の取付構造に関するもので、特には、薄型化されたリモコン装置の取付構造に関するものである。
【背景技術】
【０００２】
従来より、給湯装置などの住宅設備をワンタッチで操作可能とする壁面固定型のリモコン装置が多用されている（特許文献１）。
ところで、この種のリモコン装置は、給湯装置等に付随するものであるため、一般に需要者の選択の余地がない。しかしながら、リモコン装置は、台所や浴室等の常に目にするところに配置されることもあり、リモコン装置を、壁と調和できる外観形状にすることが望まれている。
【０００３】
そこで、本発明者らは、住空間の壁との調和ができる小型化、薄型化されたリモコン装置を試作した。これにより、リモコン装置と壁との段差が小さくなり、従来技術のリモコン装置と比べると壁との調和を図ることができる。
なお、一般的に、リモコン装置は、本体部と化粧枠であるケース部で構成されており、壁面にビス等で固定される金属製の取付部材に装着されるものである。具体的には、リモコン装置を壁面側に確実に固定するために、取付部材と本体部とをビス等を用いて固定する。
【先行技術文献】
【特許文献】
【０００４】
【特許文献１】特開２００８−１８７０６９号公報
【発明の概要】
【発明が解決しようとする課題】
【０００５】
しかしながら、小型化、薄型化したリモコン装置の試作品において、ビス等の固定手段を用いて取付部材に対して本体部を固定する構成とした場合、その固定手段（ビス等）が外観に現れて住空間の美観を阻害してしまう懸念があった。
【０００６】
即ち、最大限にリモコン装置を小型化、薄型化した場合、本体部とケース部とが構成する筐体内部は、リモコンとして機能させるための制御基板、並びに信号線や電力線等により占有されるため、前記筐体内部にビス等が配置されるスペースを確保することが困難であった。そのため、固定手段が外観に現れる位置に、これを配置せざるを得なかった。
また、周知の事実として、ビス等の固定手段は、ドライバなどの工具により締め付け固定するものであるため、ビス等を配置する位置は、工具を使用できる箇所という制限を受ける。即ち、最大限にリモコン装置を小型化、薄型化した場合、ビス等を、例えばリモコン装置の底面等のような目立ちにくい箇所に配置させることも困難であった。
【０００７】
従って、従来技術によれば、リモコン装置を薄型化した場合、ビス等を見える位置に取り付けざるを得ないこととなるため、結果的に、住空間の美観を阻害してしまうという不満があった。
【０００８】
そこで、本発明では、上記した問題に鑑み、リモコン装置を小型化、薄型化しつつも、住空間のデザイン性を阻害することがないリモコン装置の取付構造を提供することを課題とする。
【課題を解決するための手段】
【０００９】
上記課題を解決するための請求項１に記載の発明は、壁面に固定される取付部材に対して、機器の遠隔操作が可能なリモコン装置を取り付けるリモコン装置の取付構造であって、前記リモコン装置は、操作部を有するケース部と、当該ケース部を重ね合わせて筐体を構成する本体部と、取付部材とケース部と本体部とを連結する連結部材とを備え、前記本体部は、背面壁とその周囲を囲む側面壁とにより構成された枠体であり、前記取付部材は、連結部材が挿入される開口部が形成された開口連結部を有し、ケース部と本体部とを重ね合わせた筐体は、前記開口連結部の開口部と連通する連通開口部を側面壁に有し、内部に基板を収納するものであって、前記連結部材が、連通状態の開口連結部の開口部と連通開口部に挿着されると、ケース部及び本体部が取付部材側に引きつけられて、リモコン装置と取付部材とが一体的に連結され、前記連結部材が連通状態の開口連結部の開口部と連通開口部に挿着されると、連結部材は、少なくとも挿通方向先端側で本体部と当接し、中間部で取付部材に当接し、後端側でケース部に当接すると共に、挿通方向先端側及び後端側に作用する外力と、中間部に作用する外力が、対向する方向に作用していることを特徴とするリモコン装置の取付構造である。
【００１０】
本発明のリモコン装置の取付構造は、取付部材が有する開口連結部と、ケース部と本体部とを重ね合わせた筐体が有する連結開口部とを連通状態にして、連結部材を挿着すると、本体部及びケース部が取付部材側に引きつけられて、リモコン装置と取付部材とが一体的に連結される構成とされている。具体的には、連結部材を連通状態の開口連結部と連通開口部に挿着することで、連結部材が取付部材や本体部やケース部との当接部から反力を受けて、その反力により生じる力のモーメントでリモコン装置と取付部材が互いに引きつけられて一体的に連結される。これにより、たとえ開口連結部と連通開口部との連通状態が不十分であっても、連結部材を挿着することで、リモコン装置と取付部材が確実に引きつけ合うため、取付部材に対してリモコン装置が密着した装着状態となる。これにより、リモコン装置が取付部材に対してぐらつくことがない。
【００１１】
また、先に説明したように、リモコン装置を小型化した場合、取付部材に対してリモコン装置を装着する取付構造として、ビス等を用いると、ビス等がリモコン装置の外観に現れて、住空間の美観を阻害する不満があった。
そこで、本発明のリモコン装置の取付構造によれば、前記連結部材を用いて、リモコン装置と取付部材とを一体的に連結する構成としたため、リモコン装置を小型化した場合であっても、連結部材の配置に対して制限を受けない。即ち、ビス等の固定手段を用いた場合に配置できなかった箇所に、連結部材を配置させることができる。これにより、連結部材を目立ちにくい箇所等に配置しつつも、リモコン装置を取付部材に対して確実に装着させることができる。
従って、本発明のリモコン装置の取付構造によれば、リモコン装置を小型化することができると共に、住空間のデザイン性を阻害しない。
【００１２】
また、本発明によれば、連結部材は、少なくとも挿通方向先端側で本体部と当接し、中間部で取付部材に当接し、後端側でケース部に当接しており、各当接部に外力が生じている。そして、連結部材の挿通方向先端側及び後端側に作用する外力は、中間部に作用する外力と対向する方向に作用した構成とされている。そのため、連結部材の挿通方向先端側及び後端側には、中間部を基準に、外力方向に力のモーメントが働く。これにより、連結部材は、先端側及び後端側で、中間部を基準に外力方向に撓む。また、一般的に、いかなる部材も作用する外力に対して、反発する力が働くため、連結部材は力のモーメントに対抗する反発力が働く。これにより、確実にリモコン装置を取付部材に対して引きつけることができるため、リモコン装置を取付部材に対して、より密着した装着状態にすることができる。
【００１３】
請求項２に記載の発明は、前記本体部は、押圧部を備え、前記連結部材は、開口連結部と連通状態の連通開口部に装着された状態において、挿通方向先端側が押圧部により一定方向に押圧されることを特徴とする請求項１に記載のリモコン装置の取付構造である。
【００１４】
かかる構成によれば、装着状態の連結部材は、一定方向に押圧されるため、先端側では力のモーメントを強制的に作用させることができる。これに伴って、他の当接面（例えば、中間部や後端側の当接面）に対しても、力のモーメントを作用させることができるため、装着状態の連結部材は筐体から容易に外れることがない。
【００１５】
請求項３に記載の発明は、前記連結部材は、挿通方向先端側から中間部に掛けて拡幅するテーパ部を有し、前記テーパ部には、装着状態における開口連結部の開口部縁端に係止する係止部が形成されていることを特徴とする請求項１又は２に記載のリモコン装置の取付構造である。
【００１６】
かかる構成によれば、連結部材には、挿通方向先端側から中間部に掛けて拡幅するテーパ部に、開口連結部の開口部縁端に係止する係止部が形成されているため、連結部材をリモコン装置及び取付部材に装着させた状態において、連結部材がその状態から外れてしまう可能性を低減させることができる。即ち、係止部が、連結部材の抜け防止機能を果たすことで、リモコン装置と取付部材との一体的な連結状態が、容易に解除される可能性を低減することができる。
【００１７】
請求項４に記載の発明は、前記取付部材の開口連結部には、連結部材を連通状態の開口連結部の開口部と連通開口部に挿着する際に、連結部材のテーパ部が摺動する開口縁傾斜部が形成されていることを特徴とする請求項３に記載のリモコン装置の取付構造である。
【００１８】
かかる構成によれば、取付部材の開口連結部には、連結部材のテーパ部が摺動する開口縁傾斜部が形成されているため、開口縁傾斜部を連結部材挿着時のガイドとして機能させることができる。これにより、連結部材を開口連結部に対して、より円滑に挿着させることができる。
【００１９】
請求項５に記載の発明は、前記連結部材と、本体部、ケース部又は取付部材のいずれかとの当接部には、連結部材が連通状態の開口連結部の開口部と連通開口部に挿着された際の装着感を生じさせる装着嵌合部が設けられていることを特徴とする請求項１乃至４のいずれかに記載のリモコン装置の取付構造である。
【００２０】
かかる構成によれば、連結部材と、本体部、ケース部又は取付部材のいずれかとの当接部に装着感を生じさせる装着嵌合部が設けられているため、連結部材が確実に装着されたか否かを聴覚又は触覚により確認することができる。なお、装着感とは、例えば「カチッ」という音（聴覚による感覚）や、振動（触覚による感覚）により連結部材の装着が感じられることを言う。
【００２１】
請求項６に記載の発明は、連通状態の開口連結部の開口部と連通開口部に装着された状態における連結部材の露出側に、当該連結部材の取り外しを可能とするこじり用係合部を設けたことを特徴とする請求項１乃至５のいずれかに記載のリモコン装置の取付構造である。
【００２２】
かかる構成によれば、リモコン装置及び取付部材に対して装着した状態の連結部材の露出側に、こじり用係合部を設けたため、メンテナンスの際や電力線等に不具合が生じた場合に、容易にリモコン装置を分解することができる。
こじり用係合部としては、例えば、凹部や凸部等が挙げられる。即ち、マイナスドライバなどを用いて、当該凹部や凸部に引っ掛けると容易に連結部材を取り外すことができる。
【００２３】
請求項７に記載の発明は、前記連結部材は、装着状態において、連通開口部に対して平行に延伸した突出部を有し、前記リモコン装置のケース部には、ケース部本体に対して開閉可能な蓋部が備えられ、前記ケース部本体と蓋部は、前記筐体の連通開口部側にヒンジ構造で接続されており、前記蓋部は、連通開口部側に回転すると開状態になると共に、連結部材の前記突出部を連通開口部に対する連結部材の挿入方向に押圧可能とすることを特徴とする請求項１乃至６のいずれかに記載のリモコン装置の取付構造である。
【００２４】
かかる構成によれば、連結部材に突出部が設けられ、リモコン装置におけるケース部の蓋部が開状態となることに伴って、当該蓋部が突出部を押圧して連結部材を挿入方向に移動させることができる。これにより、何らかの原因で、連結部材が装着状態から外れそうになっていた場合であっても、通常の使用における蓋部の開閉動作で連結部材の装着状態が復帰されるため、連結部材が外れ落ちる可能性を低減できる。なお、一般的に、蓋部の開閉動作は、リモコン装置の通常の使用時によく行う動作であるため、使用者が定期的に行わなければならないという強制的動作ではない。即ち、使用者の意識とは別に、連結部材の復帰動作が行われるため便利である。
【００２５】
請求項８に記載の発明は、前記連結部材は、落下防止部材が設けられ、前記連結部材の装着状態が解放された場合であっても、前記落下防止部材の一部が前記筐体の内部に係止することを特徴とする請求項１乃至７のいずれかに記載のリモコン装置の取付構造である。
【００２６】
かかる構成によれば、連結部材には落下防止部材が設けられており、連結部材が装着状態から外れた場合であっても、落下防止部材の一部が筐体の内部に残って係止するため、連結部材が不意に落下して紛失することを防止できる。
【発明の効果】
【００２７】
本発明のリモコン装置の取付構造では、工具の使用を必要としない連結部材を用いて、取付部材にリモコン装置を装着させることができるため、リモコン装置を小型化、薄型化しても、住空間の美観を阻害することがない。
【図面の簡単な説明】
【００２８】
【図１】本発明の実施形態のリモコン装置の取付構造におけるリモコン装置を示す斜視図である。
【図２】本発明の実施形態のリモコン装置の取付構造を示す分解斜視図である。
【図３】（ａ）は、ケース部を別の角度から見た斜視図で、（ｂ）は、（ａ）のケース部のＡ−Ａ部で一部を破断した拡大斜視図である。
【図４】（ａ）は、本体部を別の角度から見た斜視図で、（ｂ）は、（ａ）の本体部のＡ−Ａ断面を示す断面図である。
【図５】本体部の裏面側を示す斜視図である。
【図６】図２の取付部材の貫通孔を示すＡ−Ａ断面図である。
【図７】連結部材を示す斜視図である。
【図８】図７の連結部材のＡ−Ａ断面を示す断面図である。
【図９】本発明の実施形態のリモコン装置の取付構造を段階的に示す説明図で、（ａ）は、取付部材を壁面に固定した状況を示す図で、（ｂ）は、筐体を取付部材に係止させた状況を示す図である。
【図１０】本発明の実施形態のリモコン装置の取付構造を段階的に示す断面から見た説明図で、（ａ）は、結合部材が開口縁傾斜部に当接した状況を示す図で、（ｂ）は、結合部材が押圧部に当接した状況を示す図である。
【図１１】本発明の実施形態のリモコン装置の取付構造を段階的に示す断面から見た説明図で、（ｃ）は、連結部材が挿通方向先端側、中間部、及び後端側で当接した状況を示す図で、（ｄ）は、連結部材が筐体に装着された状況を示す図である。
【図１２】（ａ）、（ｂ）は、落下防止部材を取り付けた連結部材を示す斜視図である。
【図１３】図１２の落下防止部材の取り付け方法を示す斜視図で、（ａ）は、落下防止部材を筐体内に配した段階を示す図で、（ｂ）は、連結部材３を筐体に装着した状態を示す図である。
【図１４】連結部材の変形例を示す断面図で、（ａ）は、連結部材の装着が不十分な状態を示す図で、（ｂ）は、連結部材を挿着方向に押圧した状態を示す図である。
【発明を実施するための形態】
【００２９】
以下に、本発明の実施形態について、図面を参照しながら詳細に説明する。なお、特に断りがない限り、上下左右の関係は通常の取り付け状態を基準とする。
【００３０】
本実施形態のリモコン装置の取付構造は、図１，２に示すように、台所や浴室等の壁面に固定される取付部材２に対して、給湯装置用のリモコン装置１の筐体１０を連結部材３を用いて取り付ける構造である。なお、連結部材３は、ビス等の工具を要する固定手段ではなく、嵌め込み式の部材である。
【００３１】
リモコン装置１は、図２に示すように、リモコン装置１の外枠となるケース部５と、ケース部５が重ね合わされることで筐体１０が形成され、その筐体１０内部に遠隔操作を実行可能とする図示しない制御基板や信号線、電力線等が収容される本体部６と、それらを一体的に連結する連結部材３により構成されている。
【００３２】
説明の便宜上、連結部材３から説明する。
連結部材３は、図２に示すように、筐体１０に対して十分に小さいものである。具体的には、図７に示すように、くさび状の部材であり、大きく分けて装着部３ａと露出部３ｂにより構成されている。
装着部３ａは、基端側から先端側に向かうに従って厚み（図７，８における上下方向長さ）が薄くされている。即ち、装着部３ａは、図８に示すように、その厚みを形成する一方の面がテーパ状のテーパ部３０とされている。テーパ部３０には、幅方向（図７の左右方向）に延びた溝部３１（係止部）が形成されている。溝部３１は、テーパ部３０の中間部より基端側寄りに配置されている。
また、装着部３ａの裏面側（テーパ部３０の反対側）で、装着部３ａと露出部３ｂの接続部には、段部３４が形成されている。即ち、装着部３ａと露出部３ｂの接続部における厚みを比較すると、露出部３ｂの厚みの方が大きい。
【００３３】
露出部３ｂは、図８に示すように、側面側の断面形状がほぼ正方形であり、テーパ部３０と同じ側の面にこじり用係合部３２が設けられている。こじり用係合部３２は、図７に示すように、平面視した形状が長方形で、厚み方向にくり抜かれた凹部である。露出部３ｂの基端側（装着部３ａとの接続部）には、幅方向（図７の左右方向）に延びた溝幅及び溝深さが溝部３１より小さい小溝３３（装着嵌合部）が形成されている。具体的には、後述するケース部５のリブ１７が嵌り込む程度の大きさである。
【００３４】
ケース部５は、図２，３に示すように、正面視した形状がほぼ正方形の枠体で、ケース部本体５ａと、そのケース部本体５ａに対してヒンジ構造で接続された蓋部１１により構成されている。
ケース部本体５ａには、上下方向中央より上部側に給湯温度や自動湯張りの給湯量等に関する設定事項や動作状態等を表示するモニタ部１２が備えられ、その下方に給湯温度や自動湯張りの給湯量等を設定できる押圧式の操作部１３ａ及び音声やブザー音等の発生源となるスピーカ部１４が備えられている。
【００３５】
また、ケース部本体５ａは、図２に示すように、下方に蓋部１１を開閉可能に接続する固定側ヒンジ部１５と、連結部材３を挿通する連通開口部１６（図３）が設けられている。
固定側ヒンジ部１５は、ケース部本体５ａの正面側の下部におけるほぼ中央に位置しており、ケース部本体５ａの辺の長さより短くされた細長い棒状部材である。そして、固定側ヒンジ部１５の両端部は、ほぼ半円球状の凸状係合部１５ａ（図３（ｂ））が設けられている。
【００３６】
連通開口部１６は、ケース部本体５ａの底面における左側及び右側に１つずつ設けられている。連通開口部１６は、図３（ａ）に示すように、断面形状が開口の入口側とその奥（図２の上方側）で異なる。具体的には、入口近傍においては正面側（図３（ａ）においては上部側）の面が開放された「コ」字型で、当該入口から奥側（図３（ａ）の上方側）においては長方形状とされている。なお、以下の説明では、連通開口部１６の入口側を顎部１６ａとし、その奥を被装着部１６ｂとする。
【００３７】
被装着部１６ｂの正面側（開口の内周における正面側）には、図３（ｂ）に示すように、直線状のリブ１７（装着音部）が設けられている。リブ１７は、被装着部１６ｂの領域の左右方向に延びており、図３（ｂ）の側面視した拡大断面図に示すように、段形状である。即ち、連結部材３が被装着部１６ｂに装着されると、リブ１７が連結部材３の小溝３３（装着嵌合部）に係止する時に、「カチッ」という音を発したり、振動を生じるため、連結部材３がケース部５に装着されたことを容易に確認できる。即ち、視覚に加えて、聴覚あるいは触覚により、連結部材３の装着が確認できる。
【００３８】
蓋部１１は、板体であり、ケース部本体５ａの操作部１３ａを覆うもので、正面側に操作部１３ａを間接的に押圧可能な３つの蓋側操作部１３ｂを備えている。また蓋部１１は、一辺の両端部にそれぞれ１つずつの回転側ヒンジ部１８が設けられている。即ち、回転側ヒンジ部１８が配された辺の中間部（回転側ヒンジ部１８同士に挟まれた部分）は、前記した固定側ヒンジ部１５の長さとほぼ同じ長さ分切り欠かれている。そして、回転側ヒンジ部１８の内側（切り欠かれた側）端部は、ほぼ半円球状にくり抜かれた凹形状とされている。
【００３９】
これにより、蓋部１１の凹形状の端部に、ケース部本体５ａの凸状係合部１５ａが嵌り込むため、蓋部１１はケース部本体５ａに対して回転可能な関係となる。即ち、蓋部１１が、ケース部本体５ａに対してヒンジ構造を介して接続されることとなる。これにより、蓋部１１はケース部本体５ａの下部を基準に、開閉動作を可能とする。なお、蓋部１１の開閉動作は、側面視すると円弧の軌跡を描く。具体的には、蓋部１１がケース部本体５ａの操作部１３ａを覆った状態（閉状態）を０度とすると、蓋部１１はほぼ１８０度の位置まで開けた状態（最大の開状態）とすることができる。
【００４０】
本体部６は、図２に示すように、背面壁６ａとその周囲を囲む側面壁６ｂとにより構成された正面視した形状がほぼ正方形の枠体で、前記したケース部５より一回り大きさが小さい。具体的には、本体部６の外枠とケース部本体５ａの内枠の大きさがほぼ同じである。即ち、本体部６は、ケース部本体５ａの裏面側に嵌め込まれて、本体部６とケース部５との間に図示しない空間を形成する。当該空間には、図示しない制御基板や信号線、電力線等が収容される。また、本体部６の背面壁６ａには、中央に円形状の開口が形成されており、当該開口を通じて前記信号線や電力線が壁面内に配線される。
【００４１】
本体部６は、図４（ａ）に示すように、側面壁６ｂの下方（底面側）に、連結部材３の装着部３ａの殆どが収容される空間形成部２０が設けられている。空間形成部２０は、本体部６の端部側に配され、前記底面の中間部（空間形成部２０同士に挟まれた部分）より本体部６の上方側（図４（ａ））に入り込んだ形状である。換言すると、本体部６の側面壁６ｂの下方は、中間部が両端部（空間形成部２０）より下方に突出した形状である。
【００４２】
また、本体部６の底面側では、本体部６の背面壁６ａが側面壁６ｂと交差するように延びており、側面壁６ｂより外側（図４（ａ）の下方）に背面壁６ａが若干張り出している（張出部２１）。そして、両端側の空間形成部２０における張出部２１には、２つずつの押圧部２２が設けられている。２つの押圧部２２同士は、空間形成部２０内において一定の間隔を空けて配置されている。具体的には、押圧部２２同士の前記間隔は、前記した連結部材３の幅よりも小さい。即ち、空間形成部２０に装着された連結部材３は、確実に２つの押圧部２２に当接することができる。
【００４３】
押圧部２２は、図４（ｂ）に示すように、正面側に突出した突起であり、傾斜部２２ａと鉛直部２２ｂを有している。傾斜部２２ａは、張出部２１の端部側から内側（図４（ｂ）の上方）に向けて上り勾配とされた箇所であり、鉛直部２２ｂは、傾斜部２２ａの頂部から連続して延びた平面部で、本体部６の背面壁６ａとほぼ平行な箇所である。
【００４４】
本体部６の背面側においては、図５に示すように、背面壁６ａの上方側に２つの係止開口３７が設けられており、係止開口３７同士が左右方向に一定間隔を空けて設けられている。係止開口３７は、背面壁６ａに形成された孔で、当該孔の奥（正面側）には上下方向に広がった空間が設けられている（図９）。
【００４５】
取付部材２は、金属板にプレス加工等施して形成された板部材で、平面視した形状がほぼ正方形である。具体的には、図２に示すように、取付部材２は、中央にほぼ円形状の開口が形成されており、当該開口は前記した本体部６の背面壁６ａの開口に挿通された図示しない信号線や電力線を壁面側に配線可能とするものである。さらに、取付部材２の上下方向１対の辺には、正面側に「Ｌ」字型の段を形成するように曲げられた鉤部３５と、同じく正面側に水平に曲げられた開口連結部２３が形成されている。
なお、取付部材２の頂点近傍には、それぞれ１つずつのビス用の貫通孔３８が設けられており、貫通孔３８にビス３９を挿通して、壁面に対して取付部材２を固定する。
【００４６】
鉤部３５は、取付部材２の上部辺（図２）に形成されており、当該辺の両端に１つずつ配置されている。鉤部３５は、２回曲げられて段が形成されており、水平部３５ａと垂直部３５ｂを有している。
開口連結部２３は、取付部材２の下部辺（図２）に形成されており、当該辺の両端に１つずつ配置されている。開口連結部２３は、水平部３５ａとほぼ平行に曲げられたもので、中央に連結部材３が挿通される貫通孔３６が形成されている。貫通孔３６は、図６に示すように、正面側の縁端部に傾斜が形成された開口縁傾斜部３６ａが設けられている。開口縁傾斜部３６ａは、前記した連結部材３のテーパ部３０と傾斜方向がほぼ同じである。即ち、開口縁傾斜部３６ａは、貫通孔３６に挿通される連結部材３が当接すると、連結部材３の挿通方向を規制するものである。
【００４７】
次に、本実施形態の取付構造における取付手順について、図面を用いて説明する。
【００４８】
先ず、所望の取付箇所を決定し、図９（ａ）に示すように、その箇所の壁面に対して取付部材２をビスにより固定する。このとき、取付部材２は、鉤部３５と開口連結部２３が正面側に突出した配置となる。そして、壁面に固定された取付部材２の鉤部３５と開口連結部２３に、本体部６を係止させて、連結部材３により、ケース部５と本体部６の双方が取付部材２に対して引き寄せられて一体的に連結される。
【００４９】
ここで、取付部材２に本体部６を係止させる場合は、予めケース部５と本体部６とを重ね合わせた筐体１０を取付部材２に係止させることが好ましい。なお、ケース部５と本体部６は、工場において熱溶着等により接合される。
【００５０】
具体的に説明すると、上記したように、本体部６はケース部５より一回り小さく、さらに本体部６の空間形成部２０は筐体１０の内部方向（図４，９の上方）に押し込まれた構成である。そのため、空間形成部２０は、筐体１０の底部（連通開口部１６）からだけでなく、背面側からも連通している。即ち、筐体１０は、背面側において、本体部６の係止開口３７に加えて、空間形成部２０と連通した開口（以下、背面側開口２４と言う）を備えた構成と言える。なお、筐体１０における連通開口部１６と背面側開口２４は空間形成部２０を介して連通している。
【００５１】
従って、図９（ｂ）に示すように、取付部材２を壁面に固定する前又は後に、筐体１０を形成して、その後に、筐体１０の背面側の係止開口３７及び背面側開口２４を、壁面に固定した取付部材２の鉤部３５及び開口連結部２３に係止させることができる。このとき、筐体１０の底部における両端側では、外側（図９の下方）から、ケース部５、取付部材２、本体部６の順番に積層されている。
【００５２】
そして、筐体１０の背面側開口２４に、取付部材２の開口連結部２３を係止させると、開口連結部２３の貫通孔３６は、筐体１０の底部と連通する連通開口部１６と連通するため、連通開口部１６から連結部材３を挿通することで、連通開口部１６に連結部材３を挿着させことができる。そして、連結部材３を連通開口部１６に挿着させる。このとき、図１０（ａ）に示すように、連結部材３の先端が、取付部材２の貫通孔３６の開口縁に衝突する場合がある。
【００５３】
しかしながら、本実施形態では、上記したように、取付部材２の貫通孔３６に開口縁傾斜部３６ａが形成されているため、取付部材２の開口縁に衝突した連結部材３は、開口縁傾斜部３６ａの傾斜に案内されて、貫通孔３６に挿着されるように進行方向が規制される。より具体的には、連結部材３は、テーパ部３０が開口縁傾斜部３６ａに当接して、挿通方向に摺動する。即ち、連結部材３のテーパ部３０の傾斜方向と、取付部材２の開口縁傾斜部３６ａの傾斜方向とがほぼ同じであるため、連結部材３は、取付部材２に対してスムーズに挿通される。
【００５４】
そして、取付部材２の開口縁傾斜部３６ａによって進行方向が規制された連結部材３がさらに奥（図１０の上方）に進行すると、図１０（ｂ）に示すように、連結部材３の先端が本体部６の押圧部２２に当接する。そして、図１１（ｃ）に示すように、連結部材３の先端が、押圧部２２の傾斜部２２ａに当接すると、傾斜に沿ってさらに奥へと案内される。このとき、連結部材３の装着部３ａでは、先端部において押圧部２２から左側（図１１）の外力を受けると共に、中間部において取付部材２の開口縁傾斜部３６ａから右側（図１１）の外力を受け、さらに連結部材３の後端側の露出部３ｂでは、ケース部５から左側（図１１）の外力を受ける。即ち、連結部材３は、前記した３箇所で外力を受けるため、各外力の作用位置において力のモーメントが働く。
【００５５】
また、連結部材３は、外力が作用する３箇所の内、中間部の外力のみが他の外力と対向する方向に作用している。即ち、取付部材２は壁面に固定されているため、中間部を支点として、他の位置（先端側及び後端側）に作用する外力により、力のモーメントが働いて、連結部材３が撓む。そして、連結部材３には、この外力による力のモーメントに対して反発する力が発生する。換言すると、連結部材３は、外力により撓んだ形状を元に戻そうとするため、ケース部５及び本体部６が壁面に固定された取付部材２側に引き寄せられる。即ち、連結部材３に働く力のモーメントにより、図１１（ｄ）に示すように、ケース部５及び本体部６を取付部材２側に引きつけるため、取付部材２に対して筐体１０が密着して装着される。
【００５６】
そして、連結部材３の先端が、押圧部２２の鉛直部２２ｂに乗り上げると、連結部材３の溝部３１が取付部材２の開口縁傾斜部３６ａに係止すると共に、連結部材３の小溝３３にケース部５のリブ１７が係止する。このとき、連結部材３の装着部３ａは、ケース部５の被装着部１６ｂ及び本体部６の空間形成部２０に位置すると共に、露出部３ｂはケース部５の顎部１６ａに当接した配置となる。なお、上記したように、小溝３３にリブ１７が係止する際には、「カチッ」という音を発したり、振動が生じるため（装着感）、視覚に加えて聴覚あるいは触覚により、連結部材３が筐体１０に確実に装着されたことが確認できる。また、この状態においては、連結部材３の先端が、常に押圧部２２から外力を受けるため、連結部材３全体に一定の力のモーメントが生じている。これにより、筐体１０は、常に取付部材２に対して密着するように引きつけられるため、リモコン装置１は取付部材２から容易に外れることがない。これに伴って、連結部材３が勝手に外れてしまう可能性を低減できる。
【００５７】
また、リモコン装置１に不具合が生じて、分解する必要が生じた場合は、連結部材３を強制的に取り外す必要がある。その場合は、連結部材３のこじり用係合部３２にマイナスドライバ等を差し込んで、下方（図１１）に引っ張ることで、容易に連結部材３の取り外しをすることができる。なお、こじり用係合部３２は、例えば、突出したものであっても構わない。
【００５８】
一方、本実施形態では、マイナスドライバ等で連結部材３を取り外した場合、連結部材３が不意に下方に落下して、紛失してしまう懸念があるため、図１２ａ，１２ｂに示すように連結部材３に落下防止部材２５ａ，２５ｂを取り付けても構わない。落下防止部材２５は、可撓性を備えた部材が好ましく、例えば、ひもや樹脂、ゴムなどが挙げられる。
なお、落下防止部材２５ａ，２５ｂの筐体１０への取り付け方法は、図１３（ａ）に示すように、先ず、連結部材３に取り付けられた落下防止部材２５ａ，２５ｂを、筐体１０の内側に配する。その後、上記したように、その連結部材３を連通開口部１６と開口連結部２３に挿着させる（図１３（ｂ））。このとき、図１３（ｂ）に示すように、落下防止部材２５ａ，２５ｂの一部が外部に露出しても構わないが、落下防止部材２５ａ，２５ｂは外部に露出しないほうが好ましい。
また、落下防止部材２５ａの別の取り付け方法として、ケース部５の底面における連通開口部１６同士の間に、落下防止部材２５ａの先端（やじり形状）を差し込むための図示しない凹部を備え、その凹部に落下防止部材２５ａの先端を差し込む構成であっても構わない。
【００５９】
さらに、連結部材３に、蓋部１１を開状態とした際に、蓋部１１の底面が上方に押圧可能な突出部４０を設けても構わない。突出部４０は、図１４に示すように、連結部材３の露出部３ｂ側に配されており、連結部材３が筐体１０に完全に装着された状態において、ケース部５の底面と当接する程度の位置が好ましい。この構成により、リモコン装置１を使用する際に、蓋部１１を開閉する度に、蓋部１１の底面が連結部材３の突出部４０を押し上げる。それに伴い、連結部材３が、装着方向に押し上げられるため、連結部材３の装着状態が不十分な場合であっても、リモコン装置１を使用することで、連結部材３の装着状態が十分なものとなる。
【００６０】
従って、本実施形態のリモコン装置の取付構造によれば、工具を必要としない連結部材３を用いることで、壁面に固定した取付部材２に対して、ケース部５と本体部６により形成された筐体１０を密着させて装着させることができる。このため、リモコン装置１の筐体１０を小型化、薄型化した場合であっても、連結部材３を配する位置に対して制限を受けることがないため、リモコン装置１の外観として目立ちにくい位置（本実施形態では底部）に連結部材３を設けることができる。これにより、リモコン装置１を最大限に小型化、薄型化しても、連結部材３はリモコン装置１の外観として目立つことがないため、家屋などにおける住空間の美観を阻害することを防止できる。
【００６１】
また、本実施形態のリモコン装置の取付構造は、ケース部５と本体部６は、熱溶着等で両者を接合して筐体１０を形成しているため、ケース部５と本体部６のいずれか一方が取付部材２に対して連結されることで、筐体１０が取付部材２に対して装着できる構成と言える。ところが、本実施形態では、連結部材３がケース部５と本体部６の双方を取付部材２側に引き寄せるため、筐体１０は取付部材２に対してより強固に装着される。
【００６２】
また、上記実施形態では、装着嵌合部は、ケース部５と連結部材３に設けられた構成を示したが、本発明はこれに限定されず、装着嵌合部を本体部６と連結部材３又は取付部材２と連結部材３に設けられた構成であっても構わない。
また、装着嵌合部は、連結部材３側にリブを設け、それと係止する側に小溝を設ける構成であっても構わない。
また、装着嵌合部をリモコン装置のいずれにも設けない構成であっても構わない。
【００６３】
上記実施形態では、係止部として連結部材３に溝部３１を設けた構成を示したが、本発明はこれに限定されず、突起形状のものを設けた構成であっても構わない。これにより、上記実施形態とほぼ同様の抜け防止機能の効果を得ることができる。
【００６４】
上記実施形態では、給湯装置のリモコン装置１として用いた構成を示したが、本発明はこれに限定されず、空調機などのリモコン装置として用いた構成であっても構わない。
【符号の説明】
【００６５】
１    リモコン装置
２    取付部材
３    連結部材
５    ケース部材
５ａ    ケース部本体
６    本体部
１０    筐体
１１    蓋部
１５    固定側ヒンジ部（ヒンジ構造）
１６    連通開口部
１７    リブ（装着嵌合部）
１８    回転側ヒンジ部（ヒンジ構造）
２２    押圧部
２５ａ、２５ｂ    落下防止部材
３０    テーパ部
３１    溝部（係止部）
３２    こじり用係合部
３３    小溝（装着嵌合部）
３６    貫通孔（開口部）
３６ａ    開口縁傾斜部
４０    突出部
【図１】
0005574149.tif 000002
【図２】
0005574149.tif 000003
【図３】
0005574149.tif 000004
【図４】
0005574149.tif 000005
【図５】
0005574149.tif 000006
【図６】
0005574149.tif 000007
【図７】
0005574149.tif 000008
【図８】
0005574149.tif 000009
【図９】
0005574149.tif 000010
【図１０】
0005574149.tif 000011
【図１１】
0005574149.tif 000012
【図１２】
0005574149.tif 000013
【図１３】
0005574149.tif 000014
【図１４】
0005574149.tif 000015